(57)【要約】【課題】  従来、手摺ベルトに方向マークを設けるなどの安全性向上策（転倒防止等）は手摺ベルトの材質がゴム材に限られ、近時主流となっているウレタン製手摺ベルトは対象外であった。また、ウレタン製手摺ベルトに方向マークを備えた印刷シートを確実に接着接合するための構成が確立されていなかった。【解決手段】  この課題を解決するため、エスカレーター１の正面となるウレタン製手摺ベルト６の表面に、該手摺ベルト６の表面色とは異なる黄色、白色等に着色された円形等目立ち易い方向マーク６Ａを手摺ベルト６の反転部５Ａと５Ｂの半円周範囲内に少なくても１個存在する間隔Ｐをもって印刷した印刷シート６ＡＡを接着剤層６ＣＣにより貼り付け接合する構成とした。さらに、手摺ベルト６に印刷シート６ＡＡを貼り付ける直前に、手摺ベルト６の表面にプライマー剤Ｍを塗布する構成とした。【選択図】図４
2013006693.tif 000002
【特許請求の範囲】
【請求項１】
往路から復路にかけて反転して移動する踏段群と、この踏段群と同期して欄干終端の反転部間を移動するウレタン製手摺ベルトを備えた視覚弱者向けのエスカレーター用手摺ベルトにおいて、前記手摺ベルトの表面に、該手摺ベルトの表面色とは異なる黄色、白色等に着色された円形等目立ち易い方向マークを手摺ベルトの反転部半円周範囲内に少なくても１個存在する間隔で印刷した印刷シートを接着剤層により貼り付け接合して設けたことを特徴とする視覚弱者向けのエスカレーター用手摺ベルト。
【請求項２】
前記ウレタン製手摺ベルトに印刷シートを貼り付ける直前に、該手摺ベルトの表面にプライマー剤を塗布し、しかる後に印刷シートを貼り付ける構成としたことを特徴とする請求項１記載の視覚弱者向けのエスカレーター用手摺ベルト。
【発明の詳細な説明】
【技術分野】
【０００１】  本発明は、移動する踏段群が水平路あるいは傾斜路を形成して乗客輸送を行うもので、特に視覚弱者向けに好適なエスカレーター用手摺ベルトの構成に関する。
【背景技術】
【０００２】  ２００７年公表の国土交通省「バリアフリー整備ガイドライン」のエスカレーターの項に「印を付けることなどにより、ベルトの進行方向を表示する」規定が盛り込まれ、本発明の主名称である「視覚弱者向けのエスカレーター用手摺ベルト」が様々に工夫されて幅広く普及する一方、その効果が視覚弱者は勿論、健常者の手摺利用率向上（安定的利用姿勢保持）および知的障害者に対する効用も認知され始めている。ここで、上記「印を付ける」具体的な方法としては、下記特許文献に記載の方法が公知となっている。
【先行技術文献】
【０００３】
【特許文献】
【特許文献】  国際公開番号Ｗ０２００７／１３９１８６号公報
【発明の概要】
【発明が解決しようとする課題】
【０００４】  特許文献に開示されたものは、手摺ベルトの表面に印刷シートを有し、その印刷シートには手摺ベルトの移動方向を表示する手摺ベルトの地色とは異色の方向マークを印刷し、この方向マーク付き印刷シ−トを手摺ベルトの表面に接着して貼り付ける構成を開示している。この方向マークが、上記の「手摺ベルトの進行方向を表示する印」となり、エスカレーターの存在とその速度感を視覚によって認知（乗り込み時の運転速度に対する体重移動バランスの安定化等）させるとともに、逆乗り込み（降り口側から乗り込む等）阻止効果によって、転倒事故を防止する目的を果たすようになっている。しかし、上記特許文献に記載の構成は、実用面において手摺ベルトの母材にワックス（蝋）成分をほとんど含有しないゴム材に限定されるものであって、近時表面光沢と寿命面の利点を生かして主流となっているウレタン樹脂（あるいはゴムとも呼称される）製の手摺ベルトは、成形用に添加剤として必ず用いるワックス成分が時間経過とともに樹脂表面に移行して液体（材種によっては気体、粉体もある）になって浸み出す「ブリード現象」が認められ、これが上記印刷シートの接着剤層を剥離させるというウレタン製手摺ベルト特有の現象を突き止めた。この問題は、上記印刷シートを実際に施工したフィールドにおいても顕著にあらわれ、「ブリード現象のないゴム製手摺ベルトでは、剥離せず」、「施工後、数ヶ月から１年以内のウレタン製手摺ベルトでは剥離現象あり」の実態を把握している。【０００５】  本発明は、この問題を解消するためになされたものであり、ウレタン製の手摺ベルトを用いたエスカレーターを対象として、特に近視、老眼、白・緑内障、視野狭窄など視力が劣る視覚弱者向けエスカレーター用の手摺ベルト、特にウレタン製に好適な方向マーク付き手摺ベルトの構成を提供することを目的とする。
【課題を解決するための手段】
【０００６】（１）本発明は、上記目的を達成するため請求項１記載のように、人が乗る踏段群の両側に側壁として直立する欄干周縁の両反転部間を移動するウレタン製手摺ベルトの表面に、該手摺ベルトの表面色とは異なる黄色、白色等に着色された円形等目立ち易い方向マークを手摺ベルトの反転部の半円周範囲内に少なくても１個存在する間隔で印刷した印刷シートを接着剤層により貼り付け、最終的に転倒事故等を防止する構成とした視覚弱者向けのエスカレーター用手摺ベルトを提供するためになされたものである。【０００７】（２）また、請求項２記載のように、ウレタン製手摺ベルトに印刷シートを貼り付ける直前に、該手摺ベルトの表面に前記ブリード現象を遮断するプライマー剤を塗布し、しかる後に上記印刷シートを貼りつける構成として接合強度を高めた視覚弱者向けのエスカレーター用手摺ベルトを提供するためになされたものである。
【発明の効果】
【０００８】  上記（１）の構成によれば、ウレタン製手摺ベルトの反転部半円周範囲内に、該手摺ベルトの表面色とは異色で目立ち易い円形等の方向マークが表示され、該方向マークが踏段群と同期して動くことから、視力の弱い障害者でも運転方向と速度感が視覚的により認識し易くなることは確実で、危険な逆方向からの乗り込みや静から動への体重移動の失敗による転倒事故の低減に寄与できる。【０００９】  上記（２）の構成によれば、ウレタン製手摺ベルトの母材から発せられるワックス成分が、ウレタン母材と接着剤層間で遮断され、印刷シートの剥離がない状態で安定して上記視認効果を発揮することができる。
【図面の簡単な説明】
【００１０】
【図１】本発明の実施形態を示す全体側面図である。
【図２】図１のＸ−Ｘ線に沿う断面図である。
【図３】本発明の手摺ベルトの概念的単体斜視図である。
【図４】図２のＹ−Ｙ線に沿う断面図である。
【発明を実施するための形態】
【００１１】  以下、本発明になる視覚弱者向けエスカレーター用手摺ベルトの構成について実施形態を図１〜図４を用いて説明する。
【実施例】
【００１２】  図１、図２および図３において、視覚弱者向けのエスカレーター１の構成は、上階床２Ａと下階床２Ｂに装架される主フレーム３と、無端状に連結されて往路から復路にかけて反転して移動する踏段群４と、この踏段群４の両側に直立して側壁を形成する欄干５と、この欄干５の周縁の両反転部５Ａと５Ｂ間を移動する手摺ベルト６を備えている。また、手摺ベルト６は駆動歯車７の動力をチェーン８を介して駆動ローラ９等に伝達された動力によって摩擦駆動され、その往路は欄干５で、その復路は案内ローラ１０によって支持されている。【００１３】  そして、本発明の対象となる手摺ベルト６はウレタン製であり、一般には芯材であるスチールワイヤを包むような略Ｃ字形に押し出し成型されて無端状に製造される。ここで、手摺ベルト６は、図２、図３に示すように欄干５の高さＨに相当する反転部５Ａ（反対側の反転部５Ｂも同様）の半円周範囲内に少なくても１個存在する間隔Ｐをもって円形等（菱形等でもよいが形状は特定しない）の目立ち易い形状の方向マーク６Ａを表示してある。さらに、この方向マーク６Ａは、手摺ベルト６の表面を被い、その全長に貼り付けられる図３に示す印刷シート６ＡＡに対して、手摺ベルト６の全体幅Ｗ１の両縁部６ｂを除いた平坦部６ａ（幅Ｗ２）の幅いっぱいに印刷されている。この場合、間隔Ｐの設定は、乗り口階床にいる視覚弱者がエスカレーター１を遠望した時に該エスカレーター１の正面に少なくても１個出てくる方向マーク６Ａの存在、すなわちエスカレーター１の存在と運転方向を容易に視認できることを意図したもので、実機検証したところ具体的には５０〜１５０ｃｍが適当である。また、視覚弱者が乗り口に達した時は、欄干５の上面で目の高さに近い位置に方向マーク６Ａがあることによって視点が定まり、速度感も認識できて乗り込み（体重移動）のタイミングが取り易くなって、転倒事故の低減に寄与することができる。【００１４】  ここで、ウレタン製の手摺ベルト６と印刷シート６ＡＡの接合関係について詳述すれば、図４に示すように印刷シート６ＡＡは平らなシート状のものを矢印Ｋのように丸めるように手摺ベルト６の略Ｃ字形断面の表面全域あるいは平坦部６ａ全面と両縁部６ｂの一部を被う長尺シートとなっている。さらに、印刷シート６ＡＡは方向マーク６Ａが印刷されるシート６ＢＢと、これの裏面側に接着され、かつ手摺ベルト６にも接着される接着剤層６ＣＣを備えるほか、場合によっては印刷シート６ＡＡの表面を被うラミネート層６Ｂｂで構成することもある。これら積層品の板厚ｔはミクロン〜１ｍｍ程度の薄膜である。【００１５】  一方、本発明のウレタン製の手摺ベルト６に印刷シート６ＡＡを貼り付ける構成は、貼り付ける直前に、該手摺ベルト６の表面に前記ブリード現象を遮断するプライマー剤を図４に破線Ｍで示したように塗布し、しかる後に上記印刷シート６ＡＡを貼りつける手順をもって視覚弱者向けのエスカレーター用手摺ベルト６を提供するものである。ここで、プライマー剤Ｍは、アルコール系溶剤などで手摺ベルト６表面の汚れ、油脂分を除去した上で塗布するもので、実験によれば、成分含有率はシクロヘキサンが５５〜６５％、酢酸ブチルと酢酸エチルがそれぞれ１０〜���０％の溶剤（例えば、住友スリーエム社製）が適している。なお、破線Ｍで示したプライマー剤は、手摺ベルト６のほぼ全表面に塗布する構成を例示したが、必ずしもこのことに限定するものではなく、図４に想像線Ｍａで示したように印刷シート６ＡＡの剥離開始点となる、その端部が位置する両縁部６ｂ付近のみに塗布し、その部分を重点に剥離防止対策を行う構成でもよい。【００１６】  ここで、方向マーク６Ａは、手摺ベルト６の表面色とは色差、明度差のある黄色、灰色、白色等任意の色調が選定される。また、上記方向マーク６Ａの間隔Ｐ内には「手摺をつかめ」的な安全利用のための文言や広告等を印刷して設けることも可能であり、対象とする設備もエスカレーター１だけでなく、類似的機構の動く歩道にも適用できる。さらに、本発明は、発明の名称である「視覚弱者」の利用に限定されるものではなく、健常者、知的障害者等制限なく利用することができる。
【産業上の利用可能性】
【００１７】  以上説明したように上記実施形態によれば、従来適用外であったウレタン製手摺ベルトに対して安全上有効な方向マークを有する印刷シートを確実に貼り付けることができ、視覚弱者向けとして真に有効なエスカレーターを提供することができる。
【符号の説明】
【００１８】１  エスカレーター
４  踏段群
５  欄干
５Ａ、５Ｂ  反転部
６  手摺ベルト
６Ａ  方向マーク
６ＡＡ  印刷シート
６ＢＢ  シート
６ＣＣ  接着剤層
Ｍ、Ｍａ  プライマー剤
【図１】
2013006693.tif 000003
【図２】
2013006693.tif 000004
【図３】
2013006693.tif 000005
【図４】
2013006693.tif 000006